(57)【要約】      （修正有）【課題】低音調節可能なイヤホンを提供する。【解決手段】低音調節可能なイヤホンであって、小通気孔１１ａと大通気孔１１ｂとを備えたスピーカ本体１１と、スピーカ本体の一側に位置するフロントキャビティ２と、スピーカ本体の他側に位置するバックキャビティ３と、バックキャビティを被覆するハウジング５１とを含む。ハウジングは、収容溝と、収容溝に位置する遮蔽物５３と、収容溝に位置し、第１位置に回した時、遮蔽物が大通気孔を遮蔽する。小通気孔に対応してフロントキャビティとバックキャビティに連通し、第２位置に回した時、遮蔽物が小通気孔を遮蔽し、大通気孔に対応してフロントキャビティとバックキャビティに連通する音道とを備える。【選択図】図２
0003188606.tif 000002
【実用新案登録請求の範囲】
【請求項１】
小通気孔と大通気孔とを備えたスピーカ本体と、
前記スピーカ本体の一側に位置するフロントキャビティと、
前記スピーカ本体の他側に位置するバックキャビティと、
前記バックキャビティを被覆するハウジングと、を含み、
前記ハウジングは、
収容溝と、
収容溝に位置する遮蔽物と、
収容溝に位置する音道であって、ハウジングを第１位置時に回した時、遮蔽物が大通気孔を遮蔽し、小通気孔に対応してフロントキャビティとバックキャビティに連通し、ハウジングを第２位置に回した時、遮蔽物が小通気孔を遮蔽し、大通気孔に対応してフロントキャビティとバックキャビティに連通する音道と、
を備えることを特徴とする、低音調節可能なイヤホン。
【請求項２】
前記スピーカ本体は、
一側が前記フロントキャビティに対応し、他側が前記バックキャビティに対応する軸孔と、
前記軸孔に位置するロックリングと、
を含むことを特徴とする、請求項１に記載の低音調節可能なイヤホン。
【請求項３】
前記ハウジングは回転角度を含み、一端が前記第１位置に対応し、他端が前記第２位置に対応し、前記回転角度が前記大通気孔と前記小通気孔間の角度より大きいか、又は、等しいことを特徴とする、請求項１に記載の低音調節可能なイヤホン。
【請求項４】
前記回転角度は、３０度以上とすることを特徴とする、請求項３に記載の低音調節可能なイヤホン。
【請求項５】
前記ハウジングは、
前記スピーカ本体に連結する側端と、
前記側端に位置すると共に前記音道に連通する排気孔と、
を含むことを特徴とする、請求項１に記載の低音調節可能なイヤホン。
【請求項６】
前記遮蔽物は、軟性素材の弾性部材であることを特徴とする、請求項１に記載の低音調節可能なイヤホン。
【考案の詳細な説明】
【技術分野】
【０００１】
本考案は、イヤホンに関し、特に、低音調節可能な機能を備えたイヤホンに関する。
【背景技術】
【０００２】
イヤホンは、通信、教学或いは音楽を楽しむ等の用途に運用される音声伝達ツールである。イヤホンの構造も多様化し、例えば、耳覆い型、カナル型から耳掛け型等までの種類が選択肢として提供されている。
また、コンパクトで持ち運びに便利な機能としてのカナル型が特に使用者に好まれているため、世間での受入度も比較的高くなっている。
【０００３】
デジタルファイル（例えばＭＰ３ファイル等）がポータブルメディアプレーヤーに保存され、歩きながら聴くこともでき、コンパクト及びメモリー容量が大きく、非常に大量の音楽ファイルを保存されているため、徐々に通勤、レジャーや休日に活用されている。
【考案の概要】
【考案が解決しようとする課題】
【０００４】
一般的なイヤホンでも低音機能を有し、イヤホン内部に低周波音の共振に供する共鳴空間が設けられているが、使用者の好みに沿って調整できないため、リスナーの低音の強弱に対する好みにあわせて変化するように操作できない。
よって、如何にしてイヤホンの構造を改良することで、従来のイヤホンの低音の強弱を調整できない問題を解決することが、関連業者による急務の改善課題となってきた。
【課題を解決するための手段】
【０００５】
本考案の低音調節可能なイヤホンは、小通気孔と大通気孔とを備えたスピーカ本体と、スピーカ本体の一側に位置するフロントキャビティと、スピーカ本体の他側に位置するバックキャビティと、バックキャビティを被覆し、収容溝と収容溝に位置する遮蔽物と収容溝に位置し、ハウジングを第１位置時に回した時、遮蔽物が大通気孔を遮蔽し、小通気孔に対応してフロントキャビティとバックキャビティに連通し、ハウジングを第２位置に回した時、遮蔽物が小通気孔を遮蔽し、大通気孔に対応してフロントキャビティとバックキャビティに連通する音道とを備えるハウジングと、を含む。
【考案の効果】
【０００６】
本考案は、ハウジングに設けられる遮蔽物及び音道構造を通じ、ハウジングを第１位置に回した時、遮蔽物が大通気孔を遮蔽して音道が小通気孔に対応してフロントキャビティとバックキャビティに連通し、ハウジングを第２位置に回した時、遮蔽物が小通気孔を遮蔽し、音道が大通気孔に対応してフロントキャビティとバックキャビティに連通し、面積が異なる小通気孔、大通気孔から空気を出入りさせて共鳴空間の流速を形成することで低周波共鳴音を調整する。
且つ遮蔽物の軟質材構造がハウジングとスピーカ本体の間に位置し、圧縮変形による隙間補填作用を提供する。
その他、スピーカ本体のロックリングが軸孔に位置してフロントキャビティとバックキャビティを区画し、隙間補填による空気漏れの防止作用を提供する。
【０００７】
以下に、実施形態において本考案の特徴及び利点を詳細に記述し、内容を当業者に本考案の技術内容を理解してもらうと共にこれに基づいて実施させることができ、且つ本明細書に開示されている内容、実用新案登録請求の範囲及び図面に基づき、当業者が容易に本考案の関連の目的及び利点を理解できる。
【図面の簡単な説明】
【０００８】
【図１】本考案の外観図である。
【図２】本考案の分解図である。
【図３】本考案の他面の分解図である。
【図４】本考案の局部側面から見た断面図である。
【図５】本考案の結合方式の分解図（一）である。
【図６】本考案の結合方式の局部側面から見た断面図（一）である。
【図７】本考案の結合方式の局部側面から見た断面図（二）である。
【図８】本考案の結合方式の局部側面から見た断面図（三）である。
【図９】本考案のハウジングを回した時の局部を示す図（一）である。
【図１０】本考案のハウジングを回した時の局部を示す図（二）である。
【考案を実施するための形態】
【０００９】
本考案の低音調節可能なイヤホン１の実施例の図１、図２及び図３を参照しながら説明する。
図１は、外観図で、図２が分解図、図３が他面の分解図である。
本実施例においては、カナル型イヤホン１を例として説明する。
本考案のイヤホン１は、主にスピーカ本体１１とフロントキャビティ２とバックキャビティ３とハウジング５１とからなる。
【００１０】
図２、図３に示すように、本実施例においてスピーカ本体１１は、主に連結円盤１２と音筒部１３と信号線１４からなる。
連結円盤１２の一側は音筒部１３に連結され、連結円盤１２と音筒部１３の間にフロントキャビティ２を有し、連結円盤１２の他側がハウジング５１に連結され、連結円盤１２とハウジング５１の間にバックキャビティ３を有する。
【００１１】
図２、図３に示すように、連結円盤１２の兩側が凹み状の凹溝１２１を形成し、且つ凹溝１２１の内側表面に小通気孔１１ａと大通気孔１１ｂを貫通し、小通気孔１１ａと大通気孔１１ｂでフロントキャビティ２とバックキャビティ３に連通する。
本実施例において小通気孔１１ａの直径は、大通気孔１１ｂより小さく、小通気孔１１ａは０．６５ｍｍで、大通気孔１１ｂを０．８５ｍｍとしているが、これに限定しない。
若干変形した実施態様においては、小通気孔１１ａを０．７ｍｍ、大通気孔１１ｂを０．９ｍｍとすることができ、若しくは小通気孔１１ａを０．７５ｍｍで、大通気孔１１ｂを０．９５ｍｍとすることができる。
【００１２】
この外に、音筒部１３内に電気音響変換器を有し、可動コイル形単体或いは平衡電機子単体（図示略）とすることができる。
前記可動コイル形単体は、磁気回路を形成するマグネット・プレート・ヨークと振動システムを形成する振動板・音声コイルとを含む。
可動コイル形単体は、略円盤状を呈し、つまり高さが直径より短い短円柱状の外形となる。
前記平衡電機子単体は、略長方体の電機子モータと電機子モータに連結する放音ノズルとを備える。
また、信号線１４は、連結円盤１２の底部から通して音筒部１３に接続する。
【００１３】
図２、図３に示すように、本実施例において連結円盤１２の中央に軸孔１２２とロックリング１２３とを有し、軸孔１２２一側がフロントキャビティ２に対応し、他側がバックキャビティ３に対応する。
ロックリング１２３はＯリング構造で、軸孔１２２に位置することでフロントキャビティ２とバックキャビティ３を区画し、軸孔１２２とロックリング１２３の間に隙間を形成して空気漏れを避ける。
【００１４】
図２、図３及び図４に示すように、本実施例において、軸孔１２２に例えばネジのような締め付け部材１２５を挿通する。
締め付け部材１２５は、フロントキャビティ２からバックキャビティ３にあるハウジング５１まで締め付ける。
そこで、ハウジング５１に軸部５６が設けられ、軸部５６は円柱体で、収容溝５２から延出し、軸孔１２２に位置することでロックリング１２３に嵌着し、軸部５６とロックリング１２３の間に隙間がないよう密着させる。
締め付け部材１２５の一端（つまりナット部位）が軸孔１２２を固定し、他端（つまりねじ軸部）が軸部５６を締め付ける。
これを介してハウジング５１は、締め付け部材１２５を中心に回すことができる。
【００１５】
前記締め付け部材１２５により軸孔１２２を締め付けることは、例として挙げただけであって、若干の実施態様において、ハウジング５１の軸部５６外側に雄ネジ５６ａ（図５及び図６）が設けられ、軸孔１２２内に雌ネジ１２２ａを設らさせることができる。雄ネジ５６ａで雌ネジ１２２ａを螺着することによってもハウジング５１に固定と回すという作用を提供でき、つまり締め付け部材１２５を省略して異なる結合方式を形成できる。
そこで、ハウジング５１の使い方は、例えば腕時計のクラウン使い方のように、ハウジング５１の移動とハウジング５１を回すという作用を提供する。
【００１６】
若干変形した実施態様において、軸部５６と軸孔１２２の結合方式も関着固定とすることができる。
図７に示すように若干の実施態様において軸部５６に設けられたフック部５６ｂを軸孔１２２に挿通してフック部５６ｂを軸孔１２２内壁に固定する。
この外に、軸部５６にフック部５６ｂが設けられることに限定せず、図８に示すように若干の実施態様において軸部５６に係止溝５６ｃが設けられ、軸孔１２２に設けられたフック部１２２ｂで係止溝５６ｃに係着する。
これを介してハウジング５１もスピーカ本体１１の上で回すことができる。
【００１７】
図２、図３及び図４に示すように、ハウジング５１は円板状構造で、第１面５１ａと第２面５１ｂと第１面５１ａ及び第２面５１ｂ間の側端５１１とを備える。
ハウジング５１の第１面５１ａはバックキャビティ３を被覆してバックキャビティ３との間に排気孔５１２を形成し、つまり排気孔５１２がスピーカ本体１１と側端５１１の間に位置して音道５４に連通する。
【００１８】
図２、図３及び図４に示すように、ハウジング５１の第１面５１ａは、主に収容溝５２と遮蔽物５３と音道５４からなる。
収容溝５２は第１面５１ａに位置して深さが異なる複数の凹孔５２１を形成し、遮蔽物５３が比較的深い凹孔５２１に位置して第１面５１ａから突き出し、音道５４が比較的浅い凹孔５２１に位置する。
遮蔽物５３は、軟性素材とし、圧縮による変形の作用を有する。遮蔽物５３は、ゴム、発泡ポリエチレン或いはポリプロピレン等の軟質合成樹脂等の材料で製造された弾性部材とすることができる。
ハウジング５１がスピーカ本体１１と結合した時、遮蔽物５３が圧縮状になってハウジング５１とスピーカ本体１１間の隙間を補填する。
【００１９】
図９と図１０を参照しながら説明する。
ハウジング５１は、一定範囲の回転角度θを有し、そこで回転角度θが３０度以上（例えば３５度、４０度）であるが、これに限定されない。
また、ハウジング５１の回転角度θの一端はハウジング５１の回転経路上の第１位置Ｒ１に対応し、ハウジング５１の回転角度θの他端がハウジング５１の回転経路上の第２位置Ｒ２に対応する。回転角度θは、小通気孔１１ａと大通気孔１１ｂ間の角度より大きいか又は等しい。
【００２０】
図９と図１０に示すように、ハウジング５１を第１位置Ｒ１に回した時、遮蔽物５３が大通気孔１１ｂを遮蔽し、音道５４が小通気孔１１ａに対応してフロントキャビティ２とバックキャビティ３に連通し、これを通じて大通気孔１１ｂの面積を遮蔽して小通気孔１１ａの通気の低周波効果を提供する。
ハウジング５１を第２位置Ｒ２に回した時、遮蔽物５３が小通気孔１１ａを遮蔽し、音道５４が大通気孔１１ｂに対応してフロントキャビティ２とバックキャビティ３に連通し、これを通じて小通気孔１１ａの面積を遮蔽して大通気孔１１ｂの通気を提供して低周波の効果を高め、面積が異なる小通気孔１１ａ、大通気孔１１ｂにより、空気を出入りさせて共鳴空間の流速を形成して低周波共鳴音を調整する。
【００２１】
図９と図１０に示すように、ハウジング５１は、一定範囲内に回すことができる。
本実施例においてスピーカ本体１１は、摺動溝１１１と第１のストッパー１１２と第２のストッパー１１３からなる。
ハウジング５１は、摺動溝１１１に位置するスライド５１３を備え、ハウジング５１を第１位置Ｒ１に回した時、スライド５１３が第１のストッパー１１２に当接し、ハウジング５１を第２位置Ｒ２に回した時、スライド５１３が第２のストッパー１１３に当接し、所定位置に回す作用を提供する。
スピーカ本体１１の摺動溝１１１とハウジング５１のスライド５１３の構造は例として挙げただけであって、若干の実施態様においてスピーカ本体１１にスライド５１３構造が設けられ、ハウジング５１に摺動溝１１１構造を設けて組み合わせることができる。
【００２２】
図２、図９と図１０に示すように、ハウジング５１の回転前或いは回転後回した方向を知るため、本実施例においてハウジング５１の第２面５１ｂ（可視面）のように例えば矢印記号の表示部５１５を有するが、これに限定されない。
例を挙げて言うと、表示部５１５はデザイン文字、図形或いは模様を印刷して回転位置を知ることができる。且つスピーカ本体１１は、複数の位置合わせ部１１５を有し、例えば大小円形で表示するが、これに限定されない。
例を挙げて言うと、位置合わせ部１１５は矢印記号、切欠部を印刷或いは凸起をマーキングして回転位置を知ることができる。
複数の位置合わせ部１１５はスピーカ本体１１の外側に位置し、ハウジング５１を一定角度に回した後、表示部５１５を位置合わせ部１１５のいずれかに合わせる。
【００２３】
図２、図９と図１０に示すように、ハウジング５１は、手動で回すことができる。本実施例においてハウジング５１は、回転部５１６を有し、例えば複数の凸起で、手の摩擦と回転効果が増えるが、これに限定されない。
例を挙げて言うと、回転部５１６は複数の凹溝とすることができる。
回転部５１６は、ハウジング５１の側端５１１に位置するため、手動でハウジング５１を回すことが便利である。
【００２４】
本考案は、ハウジングに設けられる遮蔽物及び音道構造を通じ、ハウジングを第１位置に回した時、遮蔽物が大通気孔を遮蔽して音道が小通気孔に対応してフロントキャビティとバックキャビティに連通し、ハウジングを第２位置に回した時、遮蔽物が小通気孔を遮蔽し、音道が大通気孔に対応してフロントキャビティとバックキャビティに連通し、面積が異なる小通気孔、大通気孔から空気を出入りさせて共鳴空間の流速を形成することで低周波共鳴音を調整する。
且つ遮蔽物の軟質材構造がハウジングとスピーカ本体の間に位置し、圧縮変形による隙間補填作用を提供する。
その他、スピーカ本体のロックリングが軸孔に位置してフロントキャビティとバックキャビティを区画し、隙間補填による空気漏れの防止作用を提供する。
【００２５】
本考案の技術的内容は、好ましい実施例で上記通り開示され、そのような実施例により本考案の保護範囲が限定されるべきものではなく、当業者が本考案の精神から離れることなく種々の変更及び改変を為し得ることは、本考案の範囲に含めるものであるのが勿論である。よって本考案の保護範囲は、本明細書に添付する実用新案登録請求の範囲で定義しているものを基準とする。
【符号の説明】
【００２６】
１        イヤホン
１１      スピーカ本体
１１ａ    小通気孔
１１ｂ    大通気孔
１１１    摺動溝
１１２    第１のストッパー
１１３    第２のストッパー
１１５    位置合わせ部
１２      連結円盤
１２１    凹溝
１２２    軸孔
１２２ａ  雌ネジ
１２２ｂ  フック部
１２３    ロックリング
１２５    締め付け部材
１３      音筒部
１４      信号線
２        フロントキャビティ
３        バックキャビティ
５１      ハウジング
５１ａ    第１面
５１ｂ    第２面
５１１    側端
５１２    排気孔
５１３    スライド
５１５    表示部
５１６    回転部
５２      収容溝
５２１    凹孔
５３      遮蔽物
５４      音道
５６      軸部
５６ａ    雄ネジ
５６ｂ    フック部
５６ｃ    係止溝
θ        回転角度
Ｒ１      第１位置
Ｒ２      第２位置
【図１】
0003188606.tif 000003
【図２】
0003188606.tif 000004
【図３】
0003188606.tif 000005
【図４】
0003188606.tif 000006
【図５】
0003188606.tif 000007
【図６】
0003188606.tif 000008
【図７】
0003188606.tif 000009
【図８】
0003188606.tif 000010
【図９】
0003188606.tif 000011
【図１０】
0003188606.tif 000012